(57)【要約】【課題】コイルばねの切断端面の角や端面に発生したバリがばね受けに当たると、ばね端部を弾く不快な異音が騒音となって発生するのを防止する。【解決手段】コイルばね５５は、一方のばね端部５５ａを一側のばね受け６５に当て、他方のばね端部５５ｂを他側のばね受け４５ｂに当てて回転体の上部ピボット軸１５を弾発付勢し、切断端面ｍ・ｎがそれぞればね受け６５・４５ｂから離れる向きに傾けてばね端部５５ａ・５５ｂを曲げ成形し、回転体の上部ピボット軸だけが回転する際にも、ばね端部５５ａ・５５ｂの切断端面ｍ・ｎの角や端面に発生したバリがばね受け６５・４５ｂに当たらず、ばね端部５５ａ・５５ｂでばね受け６５・４５ｂを弾く不快な異音が騒音となって発生するのを防止する。【選択図】          図１
2017223295.tif 000002
【特許請求の範囲】
【請求項１】
一方のばね端部を一側のばね受けに当て、他方のばね端部を他側のばね受けに当てて回転体を弾発付勢するコイルばねであって、
切断端面がそれぞれ前記ばね受けから離れる向きに傾けてばね端部を曲げ成形してなることを特徴とする、コイルばね
【発明の詳細な説明】
【技術分野】
【０００１】
本発明は、たとえば開き扉を軸釣するドアヒンジの上部ピボット軸用コイルばね等で、一方のばね端部を一側のばね受けに当て、他方のばね端部を他側のばね受けに当てて回転体の上部ピボット軸を弾発付勢するコイルばねに関する。
【背景技術】
【０００２】
従来、開き扉用のドアヒンジの中には、目立たずに装着され見栄えが良いから、上下のヒンジ部に備えたピボット軸で開き扉を枢支して回転可能に扉枠の上下隅部に吊り込む、所謂ピボット型の軸釣機構が多くなっている。
【０００３】
しかし、ドアヒンジには、扉枠の天井側上枠部と、開き扉との間に隙間が少ない場合、開き扉を扉枠に吊り込むときに、上向きに突出する上ヒンジ部のピボット軸が障害になって、開き扉を吊り込み難く、隙間の狭さによっては、吊り込み不能な場合がある。
【０００４】
そこで、従来のドアヒンジにおいて、上ヒンジ部を構成する上吊り金具は、図９に示すように、軸先端１に有する頭部１ａと首部１ｂとの間の外周に鍔状の抜け止め顎部１ｃを環状に突設した上部ピボット軸ｐを、開き扉ｄの上端に埋設した細長い樹脂製の円筒ケース２内に嵌挿し、コイルばね３で弾発付勢して先端１が突出した状態で進退自在に把持する開き扉側の枢着具ａと、扉枠ｆの袖パネルに固定する取付板部４ａに対し水平に突出した支持板部４ｂに軸受穴５を設けたアングル材の支持具ｂとで構成し、吊り込み時、上部ピボット軸ｐの先端１をコイルばね３に抗して押え、いったん引っ込めてから、コイルばね３の付勢力で突出する上部ピボット軸１の頭部１ａを支持具ｂの軸受穴５に嵌合させることにより、開き扉ｄの建て付け箇所が開き扉ｄと上枠部との間に殆んど隙間がなくても開き扉ｄを扉枠ｆに簡単に軸釣できるようにする（特許文献１参照）。
【先行技術文献】
【特許文献】
【０００５】
【特許文献１】特開２００８−１２７７４０号公報
【発明の概要】
【発明が解決しようとする課題】
【０００６】
ところで、従来、ドアヒンジにおいて、上吊り金具の枢着具ａは、ばね下端部３ａを筒底部２ａに当ててコイルばね３を円筒ケース２内に嵌装する一方、ばね上端部３ｂを上部ピボット軸ｐのばね受リング６に当てて、上部ピボット軸ｐをコイルばね３で弾発付勢して円筒ケース２内に先端の頭部１ａが出入口７から突出した状態で進退自在に把持する。
【０００７】
しかし、コイルばね３は、通常、必要な一定長さに切断加工し、そのように繰り返し切断加工に使用し、経時、刃物の刃が劣化してダレてくると、その刃で切断する際に切断端面にバリが発生しやすく、コイルばね３の切断端面の角や端面にできるバリが、回転する上部ピボット軸ｐに当たると、ばね端部が弾いて、そのとき不快な異音が騒音となって発生し、開き扉ｄが内部空洞のパネル材からなるときは、更に異音が響き渡り大きな騒音となるという課題があった。
【０００８】
そこで、本発明の目的は、コイルばねの切断端面の角や端面に発生したバリがばね受けに当たると、ばね端部を弾く不快な異音が騒音となって発生するのを防止することにある。
【課題を解決するための手段】
【０００９】
請求項１に記載の発明は、たとえば以下に示す図示実施の形態のとおり、一方のばね端部５５ａを一側のばね受け６５に当て、他方のばね端部５５ｂを他側のばね受け４５ｂに当てて回転体の上部ピボット軸１５を弾発付勢するコイルばねであって、切断端面ｍ・ｎがそれぞれ前記ばね受け６５・４５ｂから離れる向きに傾けてばね端部５５ａ・５５ｂを曲げ成形してなることを特徴とする。
【発明の効果】
【００１０】
請求項１に記載の発明によれば、コイルばねは、一方のばね端部を一側のばね受けに当て、他方のばね端部を他側のばね受けに当てて、上部ピボット軸のような回転体を弾発付勢するコイルばねで、切断端面がそれぞればね受けから離れる向きに傾けてばね端部を曲げ成形しているから、回転体だけが回転するときでも、ばね端部の切断端面の角や端面に発生したバリがばね受けに当たらず、ばね端部でばね受けを弾く不快な異音が騒音となって発生するのを防止することができる。
【図面の簡単な説明】
【００１１】
【図１】本発明に係るコイルばねを適用したドアヒンジの上吊り金具により開き扉を扉枠に吊り込んで閉扉状態で示す縦断面図である。
【図２】図１中の上部ピボット軸に有するばね受けにコイルばねのばね端部を当てたコイルばねを一部拡大して示す斜視図である。
【図３】本発明のコイルばねの全体を示す斜視図である。
【図４】ドアヒンジの下吊り金具を示す分解斜視図である。
【図５】下吊り金具を示す組立斜視図である。
【図６】上吊り金具を示す分解斜視図である。
【図７】開き扉を扉枠に吊り込んだ閉扉状態で示す扉周りの正面図である。
【図８】開扉状態で示す扉周りの側面図である。
【図９】従来のコイルばねを適用したドアヒンジの上吊り金具により開き扉を扉枠に軸釣した状態を示す縦断面図である。
【発明を実施するための形態】
【００１２】
以下、図面を参照しつつ、本発明の実施の形態について説明する。
【００１３】
図７は、一例として本発明のコイルばねを適用したドアヒンジにより開き扉を扉枠に吊り込んだ閉扉状態で示す正面図、図８は開扉状態で示す扉周りの側面図である。図中符号Ａは一対の上下ヒンジ部を備えるピボットヒンジ型のドアヒンジ、Ｄは開き扉、Ｆは開き扉Ｄを支持する扉枠である。ドアヒンジＡは、下ヒンジ部としての下吊り金具Ａ１と、上ヒンジ部としての上吊り金具Ａ１とからなり、開き扉Ｄと扉枠Ｆとの下部側を下吊り金具Ａ２で、上部側を上吊り金具Ａ１でそれぞれ軸釣して開き扉Ｄを扉枠Ｆに回転可能に吊り込む構成になっている。
【００１４】
ドアヒンジＡの下吊り金具Ａ２は、扉枠Ｆの片側袖パネル１０の木口下端にねじ止めする支持具１１と、支持具１１に枢着する枢着具１２とからなる。支持具１１は、図４および図５に示すように、Ｌ型に屈曲して取付板部１１ａと支持板部１１ｂからなるアングル材で、支持板部１１ｂの先端寄りに軸穴を設け、下部ピボット軸１５と、下側カム１６と、枢着具１２は、上側カム１７と、扉取付部材１８とからなる。
【００１５】
下側カム１６は、筒状体１６ａの上端に、外層・内層のダブル山形カム部の各傾斜カム面２１・２２を上向きに形成している。上側カム１７は、筒状体１７ａの下端に、外層・内層のダブル山形カム部の各傾斜カム面を下向きに形成している。
【００１６】
下吊り金具Ａ２は、下部ピボット軸１５を軸穴、中心穴２４と順次挿通させ、軸先端が下側カム１６から突出した状態で支持板部１１ｂ上に立設し、下側カム１６を軸芯回りに回転不能とし、傾斜カム面２１・２２が上向きに固定される。他方、上側カム１７を、傾斜カム面を下向きにして扉取付部材１８の円筒状をなすカムキャップ１４に嵌着してから、カムキャップ１４を取付プレート３１に固定する。それから、支持具１１は、取付板部１１ａを片側袖パネル１０の木口下端にねじ止めする一方、枢着具１２は、上側カム１７の傾斜カム面を下向きに臨ませた状態でカムキャップ１４を開き扉Ｄの下端の吊元側に埋め込んで取付プレート３１をねじ止めする。次いで、下部ピボット軸１５を軸穴に通して支持具１１の支持板部１１ｂ上に立ててから、下側カム１６と上側カム１７の中心穴に挿通して各傾斜カム面を向い合わせた接触状態にし、これにより、上部カム１７を、下部ピボット軸１５周りに回転可能に且つ傾斜カム面２１・２２に案内されて上下動可能に保持し、図４および図５に示すように下吊り金具Ａ２が組み立てられる。
【００１７】
他方、上吊り金具Ａ１は、図７および図８に示すように、扉枠Ｆの側に組み付ける支持具３０と、開き扉Ｄの側に組み付ける枢着具４０と、枢着具４０の抜け止め具５０とからなる。
【００１８】
支持具３０は、図６に示すように、Ｌ型に屈曲して複数のねじ穴をあけた取付板部３０ａと支持板部３０ｂからなるアングル材で、支持板部３０ｂに回り止め穴３２を設けると共に支持板部３０ｂの上面の回り止め穴３２と取付板部３０ａ間にストッパ部３３を一段高く隆起させて設けてなる。回り止め穴３２には、丸い軸受穴３５を開けた滑りやすい樹脂製の軸受部材２４を嵌め込む。ストッパ部３３は、先端側から取付板部３０ａ側に向うに従い漸次幅広に形成する。以って、支持具３０は、図１に示すように、取付板部３０ａを片側袖パネル１０の木口下端にねじ止めして支持板部３０ｂを水平な横向きに突設する。
【００１９】
枢着具４０は、図６に示すように、本発明の回転体の一例である上部ピボット軸４５と、上部ピボット軸４５を把持する円筒ケース３９と、上部ピボット軸４５を弾発付勢する本発明のコイルばね５５を備える。
【００２０】
上部ピボット軸４５は、金属製で細長い円柱状をなし、円柱部４５ａの先端４４を、支持具３０の軸受穴３５に嵌合させる最も突端の頭部４４ａと、軸径を頭部４４ａより一段細径に形成した首部４４ｂと、頭部４４ａと首部４４ｂ間の抜け止め顎部４４ｃとで形成する。従って、頭部４４ａは、軸径を、支持具３０の軸受穴３５に嵌合可能に軸受穴３５の穴径と略同径に形成する。抜け止め顎部４４ｃは、頭部４４ａと首部４４ｂ間の先端４４外周において、より外縁に向うに従い薄くなる勾配ｋの付いた鍔状に突設する。
【００２１】
円筒ケース３９は、樹脂製のケース本体４１と金属製の取付プレート４２とからなる。ケース本体４１は、上端に開口４３を開けた有底の円筒部４１ａと円筒部４１ａの上端から直交する横向きに延びるやや細長で浅底なケース部４１ｂとからなる。取付プレート４２は、開き扉Ｄの上端面に合わせてやや細長く一端側に複数のねじ挿通穴をあけた金属板で、外周縁が円弧状をなす他端側にケース本体４１の開口４３に対応させて丸穴４６を設けると共に、丸穴４６の周りに位置決め用の穴４７と切欠き４８を設ける。軸筒本体４１のケース部４１ｂは、取付プレート４２に対応させて一端側に複数のねじ挿通穴を設け、外周縁が円弧状をなす他端側に開いた開口４３の周りに複数の位置決め用の突起５１を凸設する。
【００２２】
枢着具４０は、図１、図２および図３に示すように、円筒ケース３９の円筒部４１ａ内に、本発明のコイルばね５５を、一方のばね端部５５ａを一側のばね受けである筒底部６５に当てて嵌装する。
【００２３】
他方、上部ピボット軸４５には、円柱部４５ａの基端外周にリング状の他側のばね受け４５ｂを突設する。そこで、本発明によるコイルばね５５は、特に、ばね端部５５ａ・５５ｂの切断端面ｍ・ｎがそれぞれ前記ばね受け６５・４５ｂから離れる向きに傾けてばね端部５５ａ・５５ｂを曲げ成形する点に特徴がある。
【００２４】
次いで、枢着具４０は、円柱部４５ａの基端を開口４３から入れて上部ピボット軸４５を円筒ケース３９の円筒部４１ａに嵌挿してから、開口４３の周りの位置決め用突起５１を位置決め用穴４７と切欠き４８に嵌め込んで取付プレート４２をケース本体４１のケース部４１ｂに嵌着する。それから、取付プレート４２の丸穴４６に、上部ピボット軸４５の円柱部４５ａに合わせて軸挿通穴５４を開けた樹脂製の筒状軸受管２５を嵌め込む。以って、枢着具４０は、上部ピボット軸４５をコイルばね５５で弾発付勢し、図１に示すように、先端４４が円筒ケース３９の軸挿通穴５４から突出した状態で進退自在に把持して組み立てる。
【００２５】
抜け止め具５０は、金属薄板を曲げて、支持具３０の支持板部３０ｂの外形状に合わせて片側が円弧状をなす扁平なキャップ状に形成する。
【００２６】
上吊り金具Ａ１において、上述した構造の枢着具４０は、図１に示すように、開き扉Ｄの上端面の吊元寄りに予め穿設した取付穴７０に円筒ケース３９の円筒部４１ａを嵌め込み、取付プレート４２を上端面にねじ止めして開き扉Ｄに組み込む。
【００２７】
ドアヒンジＡで開き扉Ｄを扉枠Ｆに吊り込む場合は、開き扉Ｄを持ち上げて、下吊り金具Ａ２の支持具１１の下部ピボット軸１５に、枢着具１２の上側カム１７の軸受穴１７ｂを嵌合し、下吊り金具Ａ２で支持具３０の軸受穴３５に枢着具４０の上部ピボット軸４５の頭部４４ａを嵌合し、上吊り金具Ａ２で開き扉Ｄを回転可能に片側袖パネル１０の木口上端に軸釣する。
【００２８】
そのように上吊り金具Ａ１で開き扉Ｄを片側袖パネル１０の木口上端に軸釣するとき、ドアヒンジＡでは、上部ピボット軸４５の頭部４４ａをコイルばね５５に抗して押し下げ、邪魔にならないように、いったん円筒ケース３９の円筒部４１ａ内に引っ込めてから、頭部４４ａが支持具３０の軸受穴３５の真下に至ったとき、頭部４４ａから掛けた指を外すと、コイルばね５５の付勢力で上部ピボット軸４５が自動的に突出し、パチンという嵌着成功のクリック音を立てながら、支持具３０の軸受穴３５に嵌合する。しかる後、支持具３０の支持板部３０ｂを抜け止め具５０の下面５０ａと上面５０ｂ間に差し込むように、支持板部３０ｂに抜け止め具５０を装着して上部ピボット軸４５を抜け止めする。
【００２９】
さて、図示実施例では、開き扉Ｄを回転して開閉するとき、コイルばね５５は、ばね端部５５ａ・５５ｂの切断端面ｍ・ｎがそれぞればね受け６５・４５ｂから離れる向きに傾けて曲げ成形しているから、上部ピボット軸４５だけが回転する場合でも、ばね端部５５ａ・５５ｂの切断端面ｍ・ｎの角や端面に発生したバリがばね受け６５・４５ｂに当たらず、ばね端部５５ａ・５５ｂでばね受け６５・４５ｂを弾く不快な異音が騒音となって発生するのを防止することができる。
【符号の説明】
【００３０】
Ａ                ドアヒンジ
Ｄ                開き扉
Ｆ                扉枠
ｍ                一方の切断端面
ｎ                他方の切断端面
３０              支持具
３９              円筒ケース
４０              枢着具
４５              上部ピボット軸（回転体）
４５ｂ            他方のばね受け
５５              コイルばね
５５ａ            一側のばね端部
５５ｂ            他側のばね端部
６５              筒底部（一方のばね受け）
【図１】
2017223295.tif 000003
【図２】
2017223295.tif 000004
【図３】
2017223295.tif 000005
【図４】
2017223295.tif 000006
【図５】
2017223295.tif 000007
【図６】
2017223295.tif 000008
【図７】
2017223295.tif 000009
【図８】
2017223295.tif 000010
【図９】
2017223295.tif 000011
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
上下のヒンジ部に備えるピボット軸を支点に開き扉を扉枠に軸釣するピボットヒンジ型ドアヒンジに用いるコイルばねであって、
円筒ケース内に一方のばね端部を一側のばね受けに当てて嵌装する一方、他方のばね端部を他側のばね受けに当てて上部ピボット軸を弾発付勢し、常時は先端の頭部が出入り口から突出した頭出し状態で進退自在に把持し、切断端面がそれぞれ前記ばね受けから離れる向きに傾けてばね端部を曲げ成形してなることを特徴とする、コイルばね。
【手続補正２】
【補正対象書類名】明細書
【補正対象項目名】０００９
【補正方法】変更
【補正の内容】
【０００９】
請求項１に記載の発明は、たとえば以下に示す図示実施の形態のとおり、上下のヒンジ部に備えるピボット軸１５を支点に開き扉Ｄを扉枠Ｆに軸釣するピボットヒンジ型ドアヒンジＡに用いるコイルばね５５であって、円筒ケース３９内に一方のばね端部５５ａを一側のばね受け４５ｂに当てて嵌装する一方、他方のばね端部５５ｂを他側のばね受け６５に当てて上部ピボット軸４５を弾発付勢し、常時は先端の頭部が出入り口から突出した頭出し状態で進退自在に把持し、切断端面ｍ・ｎがそれぞれ前記ばね受け６５・４５ｂから離れる向きに傾けてばね端部５５ａ・５５ｂを曲げ成形してなることを特徴とする。